(57)【要約】【課題】近接基地局の検索時間を短縮すると共に、検索精度を向上させ、正確な自動チャネル決定を簡易な構成で実現することができるアクセスポイントの自動チャネル・アサイン・システムを提供する。【解決手段】複数の無線ＬＡＮ基地局（２１〜２Ｎ）のおのおのに有線ラインを介して無線管理サーバ（１）が接続されている。無線管理サーバは、各無線ＬＡＮ基地局から通知される近接無線ＬＡＮ基地局情報から干渉が発生しないチャネルアサイン計算を行い、そのチャネルアサイン情報を前記各無線ＬＡＮ基地局に通知する。複数の無線ＬＡＮ基地局のおのおのは、バス構造の無線ＬＡＮに接続された場合に、無線管理サーバに自無線ＬＡＮ基地局が接続されたことを通知し、無線管理サーバから通知される前記チャネルアサイン情報を基に無線チャネルを設定し無線ＬＡＮ基地局動作を開始する。【選択図】      図１
2006025003.tif 000002
【特許請求の範囲】
【請求項１】
複数の無線ＬＡＮ基地局と、
該複数の無線ＬＡＮ基地局のおのおのに有線ラインを介して接続された無線管理サーバとを備え、
前記無線管理サーバは、
前記複数の無線ＬＡＮ基地局のうち、バス構造の無線ＬＡＮで接続された各無線ＬＡＮ基地局からの無線ＬＡＮ基地局接続要求通知を基に接続無線ＬＡＮ基地局情報テーブルを作成する無線ＬＡＮ基地局登録処理手段と、
前記接続無線ＬＡＮ基地局情報テーブルを記憶する手段と、
前記各無線ＬＡＮ基地局からの近接無線ＬＡＮ基地局情報収集を行うための近接無線ＬＡＮ基地局検索処理を行う手段と、
前記各無線ＬＡＮ基地局から通知される近接無線ＬＡＮ基地局情報を近接無線ＬＡＮ情報テーブルに記憶する手段と、
前記近接無線ＬＡＮ基地局情報から干渉が発生しないチャネルアサイン計算を行い、前記チャネルアサイン計算により求められたチャネルアサイン情報を記憶し、該チャネルアサイン情報を前記各無線ＬＡＮ基地局に通知するチャネルアサイン処理手段とを備え、
前記複数の無線ＬＡＮ基地局のおのおのは、
バス構造の無線ＬＡＮに接続された場合に、前記無線管理サーバに自無線ＬＡＮ基地局が接続されたことを通知するための無線ＬＡＮ基地局登録要求処理を行う手段と、
前記バス構造の無線ＬＡＮで接続された前記無線管理サーバの前記近接無線ＬＡＮ基地局検索処理に応答して、ビーコン信号を生成する手段と、
該生成したビーコン信号を当該無線ＬＡＮ基地局の無線ゾーンに送信する手段と、
該ビーコン信号を前記有線ラインから受信することにより近接無線ＬＡＮ基地局情報検索を行う手段と、
前記無線管理サーバから通知される前記チャネルアサイン情報を基に無線チャネルを設定し無線ＬＡＮ基地局動作を開始する手段とを具備し、
アクセスポイントとなる前記複数の無線ＬＡＮ基地局のおのおのへの自動チャネルアサインを行うことができるように構成された
ことを特徴とするアクセスポイントへの自動チャネル・アサイン・システム。
【請求項２】
無線管理サーバにおいて、近接無線ＬＡＮ基地局検索処理を行う場合、無線管理サーバは前記接続無線ＬＡＮ基地局情報テーブルに基づき、ＭＡＣアドレス若番の無線ＬＡＮ基地局から順番に、１無線ＬＡＮ基地局ずつ送信無線ＬＡＮ基地局としてバス構造の無線ＬＡＮ経由で「ビーコン送信要求」，「送信チャネル情報」，「送信時間情報」および「送信終了要求」を与え、その「ビーコン送信要求」を与えない無線ＬＡＮ基地局には、受信無線ＬＡＮ基地局としてバス構造の無線ＬＡＮ経由で「ビーコン受信要求」，「受信チャネル情報」，「受信時間情報」および「受信終了要求」を与える手段を備えたことを特徴とする請求項１に記載のアクセスポイントへの自動チャネル・アサイン・システム。
【請求項３】
無線ＬＡＮ基地局において、無線管理サーバの前記近接無線ＬＡＮ基地局検索制御に基づき、「ビーコン送信要求」，「送信チャネル情報」および「送信時間情報」がバス構造の無線ＬＡＮ経由で与えられた場合、与えられた送信チャネルでビーコン信号を生成して送信し、送信が終了後に無線管理サーバに送信終了を通知する手段を備えたことを特徴とする請求項１に記載のアクセスポイントへの自動チャネル・アサイン・システム。
【請求項４】
無線ＬＡＮ基地局において、無線管理サーバの前記近接無線ＬＡＮ基地局検索処理部での処理に基づき、「ビーコン受信要求」，「受信チャネル情報」および「受信時間情報」をバス構造の無線ＬＡＮ経由で与えられた場合、「受信終了要求」が通知されるまでの間、近接無線ＬＡＮ基地局の「ビーコン信号」を受信検索し、受信検索された近接無線ＬＡＮ基地局のＳＳＩＤ，ＩＰアドレス，ＭＡＣアドレス，電界強度情報を含む前記近接無線ＬＡＮ基地局情報と受信終了を無線管理サーバに通知する手段を備えたことを特徴とする請求項１に記載のアクセスポイントへの自動チャネル・アサイン・システム。
【発明の詳細な説明】
【技術分野】
【０００１】
本発明は、無線ＬＡＮシステムにおける無線ＬＡＮ基地局（アクセスポイント）への自動無線チャネル選択および整合をするアサイン・システムに関する。
【背景技術】
【０００２】
企業の構内、オフィスなどのＬＡＮ（Local Area Network）に無線ＬＡＮシステムを用いる場合、サービスエリアを複数のゾーンに分割し、ゾーン毎に無線ＬＡＮ基地局を配置することによってサービスエリア全体を通信可能エリアとしている。このとき、隣り合うゾーンとの無線干渉を防ぐため、隣り合うゾーンをカバーする無線ＬＡＮ基地局同士は、異なった無線チャネルを使用する必要がある。
このように、隣り合うゾーンをカバーする無線ＬＡＮ基地局に、異なる無線チャネルを設定する場合には、手動で設定することは可能であるが、正確に実施することが困難であって、設定ミスによる障害を起こし易い。そのため、隣り合うゾーンをカバーする無線ＬＡＮ基地局に、自動的に異なる無線チャネルを割り当て、設定する手法が求められる。
【０００３】
このために提案されている先行技術では、無線ＬＡＮ基地局において、使用可能な無線チャネルを走査し、近接する無線ＬＡＮ基地局のビーコン信号をカウントして、近接基地局の数を通知していき、ネットワーク内の近接基地局数をネットワークテーブルに記録する。この近接基地局数を基に、近接基地局数の少ない基地局を無線チャネル決定のスタート点とし、その基地局が無線チャネルを決定後、次に無線チャネルを決定すべき基地局を決定する。これを繰り返し行うことにより、ネットワーク全体の無線チャネルを決定することができる（特許文献１参照）。
【特許文献１】特開２００３−２８３５０６号公報
【発明の開示】
【発明が解決しようとする課題】
【０００４】
しかし、この先行技術は、自立分散型による自動チャネル決定手段であり、近接基地局の情報を収集するために、自基地局のビーコン信号送信の合間に無線チャネルを走査し、また近接基地局のビーコンの受信を試みている。この手法では、自基地局と近接基地局のビーコン送信タイミングが合致している場合、近接基地局のビーコン信号を受信することができない。また、高精度で近接基地局を検索するには、長い時間近接基地局のビーコンを検索する必要があり、無線チャネル決定に時間を要することになる。また、ビーコン信号のリザーブビットを使用するという複雑な構成となっている。
【０００５】
本発明の目的は、近接基地局の検索時間を短縮すると共に、検索精度を向上させ、検索できない近接基地局がないようにして正確な自動チャネル決定を簡易な構成で実現することができるアクセスポイントへの自動チャネル・アサイン・システムを提供することにある。
【課題を解決するための手段】
【０００６】
この課題を解決するために、本発明によるアクセスポイントへの自動チャネル・アサイン・システムは、複数の無線ＬＡＮ基地局と、
該複数の無線ＬＡＮ基地局のおのおのに有線ラインを介して接続された無線管理サーバとを備え、
前記無線管理サーバは、
前記複数の無線ＬＡＮ基地局のうち、バス構造の無線ＬＡＮで接続された各無線ＬＡＮ基地局からの無線ＬＡＮ基地局接続要求通知を基に接続無線ＬＡＮ基地局情報テーブルを作成する無線ＬＡＮ基地局登録処理手段と、
前記接続無線ＬＡＮ基地局情報テーブルを記憶する手段と、
前記各無線ＬＡＮ基地局からの近接無線ＬＡＮ基地局情報収集を行うための近接無線ＬＡＮ基地局検索処理を行う手段と、
前記各無線ＬＡＮ基地局から通知される近接無線ＬＡＮ基地局情報を近接無線ＬＡＮ情報テーブルに記憶する手段と、
前記近接無線ＬＡＮ基地局情報から干渉が発生しないチャネルアサイン計算を行い、前記チャネルアサイン計算により求められたチャネルアサイン情報を記憶し、該チャネルアサイン情報を前記各無線ＬＡＮ基地局に通知するチャネルアサイン処理手段とを備え、
前記複数の無線ＬＡＮ基地局のおのおのは、
バス構造の無線ＬＡＮに接続された場合に、前記無線管理サーバに自無線ＬＡＮ基地局が接続されたことを通知するための無線ＬＡＮ基地局登録要求処理を行う手段と、
前記バス構造の無線ＬＡＮで接続された前記無線管理サーバの前記近接無線ＬＡＮ基地局検索処理に応答して、ビーコン信号を生成する手段と、
該生成したビーコン信号を当該無線ＬＡＮ基地局の無線ゾーンに送信する手段と、
ビーコンを受信することにより近接無線ＬＡＮ基地局情報検索を行う手段と、
前記無線管理サーバから通知される前記チャネルアサイン情報を基に無線チャネルを設定し無線ＬＡＮ基地局動作を開始する手段とを具備し、
アクセスポイントとなる前記複数の無線ＬＡＮ基地局のおのおのへの自動チャネルアサインを行うことができるように構成された
ことを特徴とする構成を有している。
【発明の効果】
【０００７】
本発明により、無線ＬＡＮネットワークを構築する際に問題となる電波干渉を防止するのに有用な自動無線チャネル割り当てにおいて、短時間で高精度かつ正確な自動チャネル割り当てを行う機能を実現することができる。
また、本発明により、一元管理を行う前記無線管理サーバにより、バス構造の無線ＬＡＮ〔例えば、ＩＥＥＥ８０２．３で規定されているイーサネット（登録商標）〕で接続された前記複数の無線ＬＡＮ基地局を制御し、前記複数の無線ＬＡＮ基地局に１台ずつ順番にビーコン送信要求を与え、ビーコン送信要求が無い前記無線ＬＡＮ基地局が近接無線ＬＡＮ基地局検索を行うことにより、送受信タイミングによる検索情報欠落を防止し、正確な自動無線チャネル割り当てを短時間に行うことができる。
【発明を実施するための最良の形態】
【０００８】
本発明の最良の実施の形態について詳細に説明する。
図１から図３は本システムの構成の一例である。
【０００９】
図１は、本発明システムにおける回路配置例を示すものであって、無線管理サーバ１と複数の無線ＬＡＮ基地局２１，２２，２３，・・・２Ｎは各々の有線通信部１−１０，２−７を介して有線通信路で相互接続されている。３１，・・・３Ｎは無線ＬＡＮ基地局２１，２２，２３，・・・２Ｎと無線接続される子機である。
【００１０】
図２に示すように、無線管理サーバ１は、システム内で使用する無線チャネルのチャネルプラン・テーブル（表１）を記憶する記憶部１−１と、近接無線ＬＡＮ基地局検索を行う時間である送信時間情報，受信時間情報テーブル（表２）を記憶する記憶部１−２を有する。
【００１１】
【表１】
2006025003.tif 000003
【００１２】
【表２】
2006025003.tif 000004
【００１３】
無線管理サーバ１において、各無線ＬＡＮ基地局２１，２２，２３，・・・２Ｎからの、各無線ＬＡＮ基地局のＩＰアドレス，有線ＭＡＣ（Media Access Control）アドレス，無線ＭＡＣアドレス，ＳＳＩＤ（Service Set ID）が含まれる前記無線ＬＡＮ基地局接続要求通知を基に、表３に示す如き接続無線ＬＡＮ基地局情報テーブルを記憶する手段（接続無線ＬＡＮ基地局情報テーブル記憶部１−３）を有する。また、他アプリケーションとの組み合わせとして接続無線ＬＡＮ基地局情報テーブル（表３）を使用しても良い。
【００１４】
【表３】
2006025003.tif 000005
【００１５】
無線管理サーバ１において、近接無線ＬＡＮ基地局検索処理を行う場合、無線管理サーバ１は前記表３に示す如き接続無線ＬＡＮ基地局情報テーブルに基づき、ＭＡＣアドレス若番の無線ＬＡＮ基地局から順番に、１無線ＬＡＮ基地局ずつ送信無線ＬＡＮ基地局としてバス構造の無線ＬＡＮ経由で「ビーコン送信要求」，「送信チャネル情報」，「送信時間情報」および「送信終了要求」を与え、その「ビーコン送信要求」を与えない無線ＬＡＮ基地局２には、受信無線ＬＡＮ基地局としてバス構造の無線ＬＡＮ経由で「ビーコン受信要求」，「受信チャネル情報」，「受信時間情報」および「受信終了要求」を与える手段（送信時間情報，受信時間情報テーブル記憶部１−２，制御部１−９）を有する。
【００１６】
無線管理サーバ１において、各無線ＬＡＮ基地局２から通知される近接無線ＬＡＮ基地局情報を受け取り、受け取った前記近接無線ＬＡＮ基地局情報に基づき近接無線ＬＡＮ基地局情報テーブル（表４）を作成してその記憶装置１−４に格納する手段（制御部１−９）を有する。
【００１７】
【表４】
2006025003.tif 000006
【００１８】
無線管理サーバ１において、近接無線ＬＡＮ基地局情報テーブル（表４）に基づき、干渉が発生しないチャネルアサイン計算を行い、計算されたチャネルアサイン情報を接続無線ＬＡＮ基地局情報テーブル（表３）および近接無線ＬＡＮ基地局情報テーブル（表４）の記憶部１−４に格納し、前記チャネルアサイン情報を無線ＬＡＮ基地局に通知する手段〔（チャネルアサイン処理部１−５）＋（制御部１−９）＋（有線通信部１−１０）〕を有する。
【００１９】
無線サーバ１において、１−６は複数の無線ＬＡＮ基地局２１〜２Ｎのうち、バス構造の無線ＬＡＮで接続された各無線ＬＡＮ基地局からの「無線ＬＡＮ基地局接続要求通知」を基に接続無線ＬＡＮ基地局情報テーブル（表３）を作成する無線ＬＡＮ基地局登録処理部である。
また、１−７は、接続無線ＬＡＮ基地局情報テーブル（表３）に存在しないＩＰアドレス，ＳＳＩＤ，ＭＡＣアドレスが含まれる「近接無線ＬＡＮ基地局情報」が存在する場合には、その「近接無線ＬＡＮ基地局情報を記憶する後述のシステム外無線ＬＡＮ基地局情報テーブル（表５）記憶部である。
さらに、１−８は、各無線ＬＡＮ基地局から通知される近接無線ＬＡＮ基地局情報収集を行うための近接ＬＡＮ基地局検索処理部である。
制御部１−９は、例えば、ＣＰＵより構成され、各部回路１−１，１−２，１−３，１−４，１−５，１−６，１−７，１−８を制御して、以下詳細に説明する各種の制御動作を実行する。有線通信部１−１０は無線サーバ１と無線ＬＡＮ基地局との間の有線通信路の形成に用いられる。表示部１−１１は、必要な可視情報を表示する。
【００２０】
図３に示すように、無線ＬＡＮ基地局２において、システムのバス構造の無線ＬＡＮに接続された場合、バス構造の無線ＬＡＮで接続されている無線管理サーバ１に対して、無線ＬＡＮ基地局登録要求処理部２−６を用いて、自無線ＬＡＮ基地局が接続されたことを通知するための無線ＬＡＮ基地局登録要求通知としてＩＰアドレス，有線ＭＡＣアドレス，無線ＭＡＣアドレス，ＳＳＩＤをバス構造の無線ＬＡＮ経由で通知する手段（有線通信部２−７，制御部２−９）を有する。無線ＬＡＮ基地局２は、ＤＨＣＰクライアント機能を具備し、ＤＨＣＰにてＩＰアドレスを取得しても良い。
【００２１】
無線ＬＡＮ基地局２において、無線管理サーバ１の前記近接無線ＬＡＮ基地局検索制御に基づき、「ビーコン送信要求」，「送信チャネル情報」および「送信時間情報」がバス構造の無線ＬＡＮ経由で与えられた場合、与えられた送信チャネルでビーコン信号を送信し（ビーコン信号生成部２−２，ビーコン送信部２−１）、送信が終了後に無線管理サーバ１に送信終了を通知する手段（有線通信部２−７，制御部２−９）を有する。
無線ＬＡＮ基地局において、無線管理サーバ１の前記近接無線ＬＡＮ基地局検索処理部１−８での処理に基づき、「ビーコン受信要求」，「受信チャネル情報」および「受信時間情報」をバス構造の無線ＬＡＮ経由で与えられた場合、「受信終了要求」が通知されるまでの間、近接無線ＬＡＮ基地局の「ビーコン信号」を受信検索し（アンテナ部２−８，ビーコン受信部，近接無線ＬＡＮ基地局情報検索部２−４）、受信検索された近接無線ＬＡＮ基地局のＳＳＩＤ，ＩＰアドレス，ＭＡＣアドレス，電界強度情報を含む前記近接無線ＬＡＮ基地局情報と受信終了を無線管理サーバ１に通知する手段（有線通信部２−７，制御部２−９）を有する。
無線ＬＡＮ基地局２において、無線管理サーバ１から通知される前記チャネルアサイン情報を基に動作チャネルを設定し（無線チャネル制御部２−５）、無線ＬＡＮ基地局動作を開始する手段（制御部２−９）を有する。
【００２２】
図４に「システム動作シーケンス」を示す。図４を用いてシステム動作を説明する。
システムに接続された無線ＬＡＮ基地局２は、無線管理サーバ１とバス構造の無線ＬＡＮを経由して通信を行い、システム内の端末であることを登録する（Ｓ１−１）。
無線管理サーバ１の制御により、複数の無線ＬＡＮ基地局２（２１，２２，２３，・・・２Ｎ）を順次選択して、その選択された基地局では、近接する無線ＬＡＮ基地局を検索して、無線サーバ１に近接する無線ＬＡＮ基地局２の情報を通知し、情報を受け取った無線管理サーバ１はその情報を格納する（Ｓ１−２）。
無線管理サーバ１は無線ＬＡＮ基地局２から受け取った近接無線ＬＡＮ基地局情報を基に、干渉が発生しないように無線チャネルのアサイン計算を実行し（割り当て）、「チャネルアサイン情報」を格納する（Ｓ１−３）。
無線管理サーバ１は、計算された「チャネルアサイン情報」を無線ＬＡＮ基地局に通知する（Ｓ１−４）。
無線サーバ１からの「チャネルアサイン情報」を受け取った無線ＬＡＮ基地局２はアサインされたチャネルで無線ＬＡＮ基地局動作を開始する（Ｓ１−５）。
【００２３】
図５に「無線ＬＡＮ基地局登録シーケンス」を示す。図５を用いて無線ＬＡＮ基地局登録シーケンスを説明する。
無線ＬＡＮ基地局２がバス構造の無線ＬＡＮに接続されたとき（Ｓ２−１）、無線ＬＡＮ基地局２は自ＩＰアドレス，自有線ＭＡＣアドレス，自無線ＭＡＣアドレス，自ＳＳＩＤ（Service Set ID）を「無線ＬＡＮ基地局接続要求通知」として、バス構造の無線ＬＡＮを経由して無線管理サーバ１に通知する（Ｓ２−２）。
無線ＬＡＮ基地局２からの「無線ＬＡＮ基地局接続要求通知」を受け取った無線管理サーバ１は、受け取った「無線ＬＡＮ基地局接続要求通知」に含まれる前記無線ＬＡＮ基地局２のＩＰアドレス，有線ＭＡＣアドレス，無線ＭＡＣアドレス，ＳＳＩＤを接続無線ＬＡＮ基地局情報テーブル（表３）に格納し（Ｓ２−３）、格納終了後無線ＬＡＮ基地局に「登録終了応答」を通知する（Ｓ２−４）。無線ＬＡＮ基地局２は無線管理サーバ１から通知される「登録終了応答」を受け取ると「無線ＬＡＮ基地局登録」は終了し（Ｓ２−５）、「登録終了応答」を受け取ることが出来ない時間が所定の時間以上経過した場合には、再び「無線ＬＡＮ基地局接続要求通知」を無線管理サーバ１に通知する（Ｓ２−６）。
【００２４】
図６（ａ），図６（ｂ）に近接無線ＬＡＮ基地局情報収集のシーケンスを示す。図６（ａ），図６（ｂ）を用いて近接無線ＬＡＮ基地局情報収集シーケンスを説明する。
無線管理サーバ１は、接続無線ＬＡＮ基地局情報テーブル（表３）からＭＡＣアドレスが最若番の前記接続無線ＬＡＮ基地局を選択して「送信無線ＬＡＮ基地局」とし（Ｓ３−１）、無線管理サーバ１に格納されている無線チャネルの最若番を選択し「検索チャネル」とする（Ｓ３−２）。
無線管理サーバ１は、送信無線ＬＡＮ基地局以外の全無線ＬＡＮ基地局すなわち受信無線ＬＡＮ基地局に、「ビーコン受信要求」，「受信チャネル情報」および「受信時間情報」を与える（Ｓ３−３）。無線管理サーバ１からの「ビーコン受信要求」，「受信チャネル情報」および「受信時間情報」を受け取った受信無線ＬＡＮ基地局２は、「受信チャネル情報」に基づく無線チャネルで、近接無線ＬＡＮ基地局からのビーコン信号を受信開始し（Ｓ３−４）、受信を開始した受信開始応答を無線管理サーバ１に通知する（Ｓ３−５）。
無線管理サーバ１は、すべての受信無線ＬＡＮ基地局からの受信開始応答を受け取った場合には（Ｓ３−６）、送信無線ＬＡＮ基地局に、「ビーコン送信要求」，「送信チャネル情報」および「送信時間情報」を与える（Ｓ３−８）。無線管理サーバ１から「ビーコン送信要求」，「送信チャネル情報」および「送信時間情報」を受け取った送信無線ＬＡＮ基地局は、「送信チャネル情報」で指定されたチャネルでビーコン信号の送信を開始し（Ｓ３−９）、無線管理サーバ１に「送信開始応答」を通知する（Ｓ３−１０）。
【００２５】
送信無線ＬＡＮ基地局２から「送信開始応答」を受け取った無線管理サーバ１は、検索タイマを起動しタイムオーバーとなったら（Ｓ３−１１）、送信無線ＬＡＮ基地局２に「送信終了要求」を通知し（Ｓ３−１２）、無線管理サーバ１から「送信終了要求」を受け取った送信無線ＬＡＮ基地局はビーコン信号の送信を終了し（Ｓ３−１３）、無線管理サーバ１に「送信終了通知」を行う（Ｓ３−１４）。
送信無線ＬＡＮ基地局２から「送信終了通知」を受け取った無線管理サーバ１は、受信無線ＬＡＮ基地局２に「受信終了要求」を通知する（Ｓ３−１７）。無線管理サーバ１から「受信終了要求」を受け取った受信無線ＬＡＮ基地局２は、ビーコン信号の受信を終了し（Ｓ３−１８）、受信検索された近接無線ＬＡＮ基地局のＳＳＩＤ，ＩＰアドレス，ＭＡＣアドレス，電界強度情報を含む「近接無線ＬＡＮ基地局情報」と「受信終了」を無線管理サーバ１に通知する（Ｓ３−１９）。
【００２６】
無線管理サーバ１は、すべての前記受信無線ＬＡＮ基地局２から通知される近接無線ＬＡＮ基地局情報の受け取りを終了した場合には（Ｓ３−２０）、近接無線ＬＡＮ基地局情報テーブル（表４）に受け取った「近接無線ＬＡＮ基地局情報」を格納する（Ｓ３−２３）。受信タイマがタイムアウト（Ｓ３−２１）しても「近接無線ＬＡＮ基地局情報」が通知されない受信無線ＬＡＮ基地局２は異常無線ＬＡＮ基地局として接続無線ＬＡＮ基地局情報テーブル（表３）に記録する（Ｓ３−２２）。接続無線ＬＡＮ基地局情報テーブル（表３）に存在しないＩＰアドレス，ＳＳＩＤ，ＭＡＣアドレスが含まれる「近接無線ＬＡＮ基地局情報」が存在する場合には、エラーを表示し、前記近接無線ＬＡＮ基地局情報をシステム外無線ＬＡＮ基地局情報テーブル記憶部１−７内のシステム外無線ＬＡＮ基地局情報テーブル（表５）に格納する（Ｓ３−２４）。
【００２７】
【表５】
2006025003.tif 000007
【００２８】
無線管理サーバ１は、前記の「検索チャネル」が無線チャネルの最終チャネルであるかを判断し（Ｓ３−２５）、最終チャネルでない場合には前記の「検索チャネル」を無線チャネルに従い１インクリメントし（Ｓ３−２６）、上記の受信無線ＬＡＮ基地局２に、「ビーコン受信要求」，「受信チャネル情報」および「受信時間情報」を与える（Ｓ３−３）動作から繰り返す。前記の「検索チャネル」が無線チャネルの最終チャネルである場合には（Ｓ３−２５）、送信無線ＬＡＮ基地局２が接続無線ＬＡＮ基地局情報テーブル（表３）の最終ＭＡＣアドレスの無線ＬＡＮ基地局であるかを判断し（Ｓ３−２７）、最終ＭＡＣアドレスの無線ＬＡＮ基地局でない場合には、現在の送信無線ＬＡＮ基地局２の次にＭＡＣアドレスが若番の無線ＬＡＮ基地局を送信無線ＬＡＮ基地局２として（Ｓ３−２８）上記の、受信無線ＬＡＮ基地局２に「ビーコン受信要求」，「受信チャネル情報」および「受信時間情報」を与える（Ｓ３−３）動作から繰り返す。現在の送信無線ＬＡＮ基地局２が最終ＭＡＣアドレスの無線ＬＡＮ基地局の場合には、近接無線ＬＡＮ基地局情報収集のシーケンスを終了する（Ｓ３−２９）。
【００２９】
図７（ａ），図７（ｂ）に使用できる無線チャネルが４チャネル存在する場合のチャネルアサイン計算のシーケンスを示す。図７（ａ）および図７（ｂ）を用いて使用できる無線チャネルが４チャネル存在する場合のチャネルアサイン計算のシーケンスを説明する。
無線管理サーバ１において、近接無線ＬＡＮ基地局情報テーブル（表４）内で前記近接無線ＬＡＮ基地局が４局以上存在する無線ＬＡＮ基地局を、チャネルアサイン不可として接続無線ＬＡＮ基地局情報テーブル（表３）および前記近接無線ＬＡＮ基地局情報テーブル（表４）に記録し、アラームを表示する（Ｓ４−１）。ただし、電界強度が限りなく低い近接無線ＬＡＮ基地局や希にしかビーコン信号が受信できない近接無線ＬＡＮ基地局は干渉基地局として考慮しないようにすることも可能である。
【００３０】
チャネルアサインされてない無線ＬＡＮ基地局２の中で、自無線ＬＡＮ基地局以外にチャネルアサインされていない近接無線ＬＡＮ基地局が３局存在する無線ＬＡＮ基地局がある場合には（Ｓ４−２）、上記条件に適合する無線ＬＡＮ基地局の中で、最若番ＭＡＣアドレスの無線ＬＡＮ基地局を選択し（Ｓ４−３）、選択された無線ＬＡＮ基地局に、チャネルプラン・テーブルの中で一番下のチャネルをアサインし、近接無線ＬＡＮ基地局には電界強度の高い順にチャネルプラン・テーブル（表１）の中で一番上のチャネルからアサインする（Ｓ４−４）。さらにチャネルアサインされていない無線ＬＡＮ基地局の中で、自無線ＬＡＮ基地局以外にチャネルアサインされていない近接無線ＬＡＮ基地局が３局存在する無線ＬＡＮ基地局がある場合には、上記動作を繰り返す。
【００３１】
チャネルアサインされていない無線ＬＡＮ基地局の中で、自無線ＬＡＮ基地局以外にチャネルアサインされていない近接無線ＬＡＮ基地局が２局存在する無線ＬＡＮ基地局がある場合には（Ｓ４−５）、上記条件に適合する無線ＬＡＮ基地局２の中で、最若番ＭＡＣアドレスの無線ＬＡＮ基地局２を選択し（Ｓ４−６）、既にチャネルアサインされている近接無線ＬＡＮ基地局のチャネル以外で、表１に示す如きチャネルプラン・テーブルに存在するチャネルを、選択された無線ＬＡＮ基地局２とその選択無線ＬＡＮ基地局２に近接する未チャネルアサイン近接無線ＬＡＮ基地局２に対してランダムに無線チャネルをアサインする（Ｓ４−７）。さらに、チャネルアサインされていない無線ＬＡＮ基地局２の中で、自無線ＬＡＮ基地局以外にチャネルアサインされていない近接無線ＬＡＮ基地局２が２局存在する無線ＬＡＮ基地局２がある場合には、上記動作を繰り返す。
【００３２】
チャネルアサインされていない無線ＬＡＮ基地局の中で、自無線ＬＡＮ基地局以外にチャネルアサインされていない近接無線ＬＡＮ基地局が１局存在する無線ＬＡＮ基地局がある場合には（Ｓ４−８）、上記条件に適合する無線ＬＡＮ基地局の中で、最若番ＭＡＣアドレスの無線基地局を選択し（Ｓ４−９）、既にチャネルアサインされている近接無線ＬＡＮ基地局のチャネル以外で、チャネルプラン・テーブルに存在するチャネルを、選択された無線ＬＡＮ基地局とその選択無線ＬＡＮ基地局に近接する未チャネルアサイン近接無線ＬＡＮ基地局に対してランダムに無線チャネルをアサインする（Ｓ４−１０）。さらに、チャネルアサインされていない無線ＬＡＮ基地局の中で、自無線ＬＡＮ基地局以外にチャネルアサインされていない近接無線ＬＡＮ基地局が２局存在する無線ＬＡＮ基地局がある場合には、上記動作を繰り返す。
【００３３】
残りの無線ＬＡＮ基地局について、チャネルアサインされている近接無線ＬＡＮ基地局のチャネル以外で、チャネルプラン・テーブルに存在するチャネルを、自無線ＬＡＮ基地局にランダムにアサインする（Ｓ４−１１）。
計算されたチャネルアサイン情報を接続無線ＬＡＮ基地局情報テーブル（表３）と近接無線ＬＡＮ基地局情報テーブル（表４）に格納する（Ｓ４−１２）。
前記近接基地局情報検索時にシステム外無線ＬＡＮ基地局の存在が明らかとなった場合には、システム外無線ＬＡＮ基地局が使用している無線チャネル（表５参照）を避けて自動的にチャネルプランを、例えば、チャネル「１，５，９，１３」又はチャネル「２，６，１０，１４」のように組み直してもよい。
【００３４】
図８に計算されたチャネルアサイン情報を無線ＬＡＮ基地局に通知するアサインチャネル通知シーケンスを示す。図８を用いて計算されたチャネルアサイン情報を無線ＬＡＮ基地局に通知するアサインチャネル通知シーケンスを説明する。
無線管理サーバ１において、接続無線ＬＡＮ基地局情報テーブル（表３）の最若番ＭＡＣアドレスの無線ＬＡＮ基地局を選択し（Ｓ５−１）、選択されている無線ＬＡＮ基地局に前記接続無線ＬＡＮ基地局情報テーブルに基づくチャネルアサイン情報を通知する（Ｓ５−２）。
チャネルアサイン情報を受け取った無線ＬＡＮ基地局は、通知されたチャネルアサイン情報に基づき無線チャネルを設定して（Ｓ５−３）、無線ＬＡＮ基地局動作を開始し（Ｓ５−４）、前記無線管理サーバに動作を開始したことを通知する（Ｓ５−５）。
無線管理サーバ１は一定時間、無線ＬＡＮ基地局からの「動作開始通知」を待ち（Ｓ５−６）、その「動作開始通知」を受け取ると接続無線ＬＡＮ基地局情報テーブル（表３）に動作状況を格納する（Ｓ５−７）。
次に、選択されている無線ＬＡＮ基地局が接続無線ＬＡＮ基地局情報テーブル（表３）に存在する最後のＭＡＣアドレスの無線ＬＡＮ基地局であるかのテストをする（Ｓ５−８）。選択されている無線ＬＡＮ基地局が、接続無線ＬＡＮ基地局情報テーブル（表３）に存在する最後のＭＡＣアドレスの無線ＬＡＮ基地局でない場合には、選択されている無線ＬＡＮ基地局の次に若いＭＡＣアドレスの無線ＬＡＮ基地局を選択して（Ｓ５−９）、ステップＳ５−２から上記の動作を繰り返す。ステップＳ５−８のテストにおいて、選択されている無線ＬＡＮ基地局が、前記接続無線ＬＡＮ基地局情報テーブルに存在する最後のＡＣアドレスの無線ＬＡＮ基地局である状態が得られた場合には、シーケンスを終了する。
【産業上の利用可能性】
【００３５】
無線ＬＡＮシステムにおける無線ＬＡＮ基地局の無線チャネル割り当てに効果的に適用することができる。
【図面の簡単な説明】
【００３６】
【図１】本発明に用いる無線サーバと無線ＬＡＮ基地局との配置例を示すブロック図である。
【図２】本発明に用いる無線サーバの構成例を示すブロック図である。
【図３】本発明に用いる無線ＬＡＮ基地局の構成例を示すブロック図である。
【図４】本発明システムにおけるシステム動作シーケンス例を説明するためのフロー図である。
【図５】本発明システムにおける無線ＬＡＮ基地局登録シーケンス例を説明するためのフロー図である。
【図６（ａ）】図６（ｂ）と合成されて、本発明システムにおける近接無線ＬＡＮ基地局情報収集のシーケンス例を説明するためのフロー図である。
【図６（ｂ）】図６（ａ）と合成されて、本発明システムにおける近接無線ＬＡＮ基地局情報収集のシーケンス例を説明するためのフロー図である。
【図７（ａ）】図７（ｂ）と合成されて、本発明システムにおけるチャネルアサイン計算のシーケンス例を説明するためのフロー図である。
【図７（ｂ）】図７（ａ）と合成されて、本発明システムにおけるチャネルアサイン計算のシーケンス例を説明するためのフロー図である。
【図８】本発明システムにおいて計算されたチャネルアサイン情報を無線ＬＡＮ基地局に通知するアサインチャネルに通知シーケンス例を説明するためのフロー図である。
【符号の説明】
【００３７】
１  無線サーバ
１−１  無線チャネルプランテーブル記憶部
１−２  送信時間情報，受信時間情報テーブル記憶部
１−３  接続無線ＬＡＮ基地局情報テーブル記憶部
１−４  近接無線ＬＡＮ基地局情報テーブル記憶部
１−５  チャネルアサイン処理部
１−６  無線ＬＡＮ基地局登録処理部
１−７  システム外無線ＬＡＮ基地局情報テーブル記憶部
１−８  近接無線ＬＡＮ基地局検索処理部
１−９  制御部
１−１０  有線通信部
１−１１  表示部
２，２１，２２，２３，・・・２Ｎ  無線ＬＡＮ基地局
２−１  ビーコン送信部
２−２  ビーコン信号生成部
２−３  ビーコン受信部
２−４  近接無線ＬＡＮ基地局情報検索部
２−５  無線チャネル制御部
２−６  無線ＬＡＮ基地局登録要求処理部
２−７  有線通信部
３１，・・・３Ｎ  子機
【図１】
2006025003.tif 000008
【図２】
2006025003.tif 000009
【図３】
2006025003.tif 000010
【図４】
2006025003.tif 000011
【図５】
2006025003.tif 000012
【図６（ａ）】
2006025003.tif 000013
【図６（ｂ）】
2006025003.tif 000014
【図７（ａ）】
2006025003.tif 000015
【図７（ｂ）】
2006025003.tif 000016
【図８】
2006025003.tif 000017